(57)【特許請求の範囲】
【請求項１】
第１シリンジと、
前記第１シリンジと並列に配置された第２シリンジと、
前記第１シリンジ及び前記第２シリンジの外周に設けられているフランジと、
前記第１シリンジに挿入される第１プランジャーと、
前記第２シリンジに挿入される第２プランジャーと、
前記第１プランジャー及び前記第２プランジャーを連結支持するプランジャーヘッドと、を有するダブルシリンジであって、
前記フランジは、前記第１シリンジ及び前記第２シリンジが並ぶ並列方向における前記第１シリンジの側端部から、前記プランジャーヘッドとは反対側に突出する第１フランジ突出部を有すると共に、当該ダブルシリンジの使用者が、前記第１シリンジ及び前記第２シリンジを間に挟む２本の指を前記並列方向に掛けることができるように、前記第１シリンジ及び前記第２シリンジの外周から前記並列方向に直交する方向における両方向に突出して設けられており、
前記並列方向に直交する方向は、前記第１シリンジの軸方向及び前記第２シリンジの軸方向に直交する方向であることを特徴とするダブルシリンジ。
【請求項２】
前記フランジは、前記並列方向における前記第２シリンジの側端部から、前記プランジャーヘッドの側に突出する第２フランジ突出部を有することを特徴とする請求項１に記載のダブルシリンジ。
【請求項３】
前記プランジャーヘッドは、前記並列方向における前記第１プランジャーの側端部から、前記フランジとは反対側に突出する第１ヘッド突出部を有することを特徴とする請求項１に記載のダブルシリンジ。
【請求項４】
前記プランジャーヘッドは、前記並列方向における前記第２プランジャーの側端部から、前記フランジの側に突出する第２ヘッド突出部を有することを特徴とする請求項１に記載のダブルシリンジ。
【請求項５】
前記第１シリンジの内径は、前記第２シリンジの内径よりも小さいことを特徴とする請求項１に記載のダブルシリンジ。
【請求項６】
前記第１フランジ突出部は、前記第１シリンジの軸方向における長さが、１０ｍｍ以上であることを特徴とする請求項１に記載のダブルシリンジ。
【発明の詳細な説明】
【技術分野】
【０００１】
本発明は、ダブルシリンジに関する。
【背景技術】
【０００２】
それぞれ異なる材料を収容する２本のシリンジが並列配置され、連結された２本のプランジャーが各シリンジに押し込まれることで、各シリンジ内の材料が所定の比率で押し出されるダブルシリンジが知られている（例えば、特許文献１参照）。【０００３】
このようなダブルシリンジでは、例えばシリンジ外周に設けられているフランジに指を掛け、プランジャー端部に設けられているプランジャーヘッドを親指や母指球（親指付け根のふくらんだ部分）等で押圧することで、各シリンジから材料を押し出すことができる。
【先行技術文献】
【特許文献】
【０００４】
【特許文献１】特開平７−１５５３７５号公報
【発明の概要】
【発明が解決しようとする課題】
【０００５】
上記したダブルシリンジにおいて、例えば２本のシリンジの内径が異なる場合や、各シリンジに収容されている材料の粘性が異なる場合等には、各シリンジから材料を押し出すのに必要な力に差異が生じる。例えば、シリンジの内径が大きく、材料の粘性が高いほど、プランジャーを押圧してシリンジから材料を押し出すのに必要な力が大きくなる。【０００６】
したがって、例えばシリンジの内径や材料の特性等に応じて、２つのプランジャーを押し込む力を変えるようにプランジャーヘッドを押圧しないと、プランジャーが撓んだり、傾いたりする可能性がある。【０００７】
プランジャーに撓みや傾きが生じると、各プランジャーの押し込み量に差異が生じ、２本のシリンジから所定の比率で材料を押し出すことが困難になる。また、プランジャーとシリンジとが噛んだ状態になり、プランジャーを動かせなくなる場合がある。【０００８】
本発明は上記に鑑みてなされたものであって、ダブルシリンジにおいて２本のシリンジから材料を所定の比率で押し出せるように持ち方を誘導することを目的とする。
【課題を解決するための手段】
【０００９】
本発明の一態様に係るダブルシリンジによれば、第１シリンジと、前記第１シリンジと並列に配置された第２シリンジと、前記第１シリンジ及び前記第２シリンジの外周に設けられているフランジと、前記第１シリンジに挿入される第１プランジャーと、前記第２シリンジに挿入される第２プランジャーと、前記第１プランジャー及び前記第２プランジャーを連結支持するプランジャーヘッドと、を有するダブルシリンジであって、前記フランジは、前記第１シリンジ及び前記第２シリンジが並ぶ並列方向における前記第１シリンジの側端部から、前記プランジャーヘッドとは反対側に突出する第１フランジ突出部を有すると共に、当該ダブルシリンジの使用者が、前記第１シリンジ及び前記第２シリンジを間に挟む２本の指を前記並列方向に掛けることができるように、前記第１シリンジ及び前記第２シリンジの外周から前記並列方向に直交する方向における両方向に突出して設けられており、前記並列方向に直交する方向は、前記第１シリンジの軸方向及び前記第２シリンジの軸方向に直交する方向である。
【発明の効果】
【００１０】
本発明の実施形態によれば、ダブルシリンジにおいて２本のシリンジから材料を所定の比率で押し出せるように持ち方を誘導できる。
【図面の簡単な説明】
【００１１】
【図１】実施形態におけるダブルシリンジを例示する斜視図である。
【図２Ａ】実施形態におけるダブルシリンジを例示する左側面図である。
【図２Ｂ】実施形態におけるダブルシリンジを例示する正面図である。
【図２Ｃ】実施形態におけるダブルシリンジを例示する右側面図である。
【図３】実施形態におけるダブルシリンジの他の構成を例示する図である。
【発明を実施するための形態】
【００１２】
以下、本発明の実施形態について、図面に基づいて説明する。各図面において、同一構成部分には同一符号を付し、重複した説明を省略する場合がある。
【００１３】
図１は、実施形態におけるダブルシリンジ１００を例示する図である。また、図２Ａは、ダブルシリンジ１００の左側面図である。図２Ｂは、ダブルシリンジ１００の正面図である。図２Ｃは、ダブルシリンジ１００の右側面図である。
【００１４】
図１及び図２Ａ〜Ｃに示されるように、ダブルシリンジ１００は、第１シリンジ１１、第２シリンジ１２、第１プランジャー２１、第２プランジャー２２、フランジ４０、プランジャーヘッド５０を有する。
【００１５】
なお、以下に示す図面において、Ｘ方向は、並列に配置されている円筒状の第１シリンジ１１及び第２シリンジ１２の長手方向且つ軸方向である。また、Ｙ方向は、第１シリンジ１１及び第２シリンジ１２が並ぶ並列方向であり、Ｘ方向に直交する方向である。Ｚ方向は、Ｘ方向及びＹ方向の何れにも直交する方向である。
【００１６】
また、以下の説明において、「第１シリンジ１１及び第２シリンジ１２」を単に「シリンジ」といい、「第１プランジャー２１及び第２プランジャー２２」を単に「プランジャー」という場合がある。
【００１７】
第１シリンジ１１は、中空円筒形状を有し、一端に吐出口３１、他端に第１プランジャー２１が挿入される不図示の開口が設けられている。第２シリンジ１２は、第１シリンジ１１と同様に、中空円筒形状を有し、一端に吐出口３２、他端に第２プランジャー２２が挿入される不図示の開口が設けられている。
【００１８】
第１シリンジ１１及び第２シリンジ１２は、それぞれの軸方向が平行になるように並列に配置されている。また、第１シリンジ１１及び第２シリンジ１２は、Ｘ方向における長さが同一であり、吐出口３１及び吐出口３２のＸ方向位置が同一になるように設けられている。また、第１シリンジ１１と第２シリンジ１２とは、フランジ４０等により連結されている。
【００１９】
第１シリンジ１１及び第２シリンジ１２の内部には、例えばそれぞれ異なる歯科用材料が収容されている。収容されている歯科用材料は、第１プランジャー２１及び第２プランジャー２２によって、第１シリンジ１１及び第２シリンジ１２から所定の比率で押し出され、互いに混練等されて使用される。
【００２０】
ここで、本実施形態におけるダブルシリンジ１００は、第１シリンジ１１の内径が、第２シリンジ１２の内径よりも小さい。このため、第１シリンジ１１の容量は、第２シリンジ１２の容量よりも小さくなっている。第１シリンジ１１及び第２シリンジ１２の各内径は、それぞれに収容されている材料を混合する比率等に応じて適宜設定され、同一であってもよい。
【００２１】
第１プランジャー２１は、外径が第１シリンジ１１の内径よりも小さい円筒形状を有し、一端側が第１シリンジ１１に挿入されている。第１プランジャー２１の一端には、不図示のガスケットが設けられている。ガスケットは、外周が第１シリンジ１１の内周面に密接し、第１プランジャー２１の外周と第１シリンジ１１の内周との隙間を塞ぎ、第１シリンジ１１内部で材料を収容する中空部の吐出口３１とは反対側を密封する。
【００２２】
第２プランジャー２２は、外径が第２シリンジ１２の内径よりも小さい円筒形状を有し、一端側が第２シリンジ１２に挿入されている。第２プランジャー２２の一端には、不図示のガスケットが設けられている。ガスケットは、外周が第２シリンジ１２の内周面に密接し、第２プランジャー２２の外周と第２シリンジ１２の内周との隙間を塞ぎ、第２シリンジ１２内部で材料を収容する中空部の吐出口３２とは反対側を密封する。
【００２３】
第１プランジャー２１と第２プランジャー２２とは、シリンジへの挿入側とは反対側の端部が、プランジャーヘッド５０によって連結されている。プランジャーヘッド５０がシリンジに向かって押されると、第１プランジャー２１が第１シリンジ１１に押し込まれると共に、第２プランジャー２２が第２シリンジ１２に押し込まれる。プランジャーがシリンジに押し込まれると、シリンジの吐出口３１，３２から各プランジャーのシリンジへの押し込み量に応じた所定量の材料が押し出される。
【００２４】
フランジ４０は、第１シリンジ１１及び第２シリンジ１２の外周に設けられ、第１シリンジ１１と第２シリンジ１２とを連結して固定する。フランジ４０は、ダブルシリンジ１００の使用者が、シリンジを間に挟む２本の指を掛けることができるように、シリンジの外周からＺ方向における両方向に突出するように形成されている。
【００２５】
フランジ４０には、第１フランジ突出部４１及び第２フランジ突出部４２が設けられている。第１フランジ突出部４１は、フランジ４０の第１シリンジ１１側端部から、プランジャーヘッド５０とは反対側であって吐出口３１に向かって突出するように形成されている。第２フランジ突出部４２は、フランジ４０の第２シリンジ１２側端部から、プランジャーヘッド５０側であって吐出口３２とは反対側に向かって突出するように形成されている。
【００２６】
プランジャーヘッド５０は、プランジャーのシリンジ挿入側とは反対側の端部に設けられ、第１プランジャー２１と第２プランジャー２２とを連結支持する。
【００２７】
プランジャーヘッド５０には、第１ヘッド突出部５１及び第２ヘッド突出部５２が設けられている。第１ヘッド突出部５１は、プランジャーヘッド５０の第１プランジャー２１側端部から、フランジ４０とは反対側に突出するように形成されている。第２ヘッド突出部５２は、プランジャーヘッド５０の第２プランジャー２２側端部から、フランジ４０側に突出するように形成されている。
【００２８】
ダブルシリンジ１００の使用者は、例えば人差し指と中指との間でシリンジを挟み、シリンジを挟んだ指を吐出口３１，３２側からフランジ４０に掛ける。また、例えば親指又は母指球をプランジャーヘッド５０に当て、プランジャーヘッド５０をフランジ４０に近付けるように力を加える。
【００２９】
このようにプランジャーヘッド５０が押圧されると、第１プランジャー２１が第１シリンジ１１に押し込まれると共に、第２プランジャー２２が第２シリンジ１２に押し込まれ、吐出口３１，３２から材料が押し出される。
【００３０】
ここで、本実施形態に係るダブルシリンジ１００は、第１シリンジ１１の内径が第２シリンジ１２の内径よりも小さい。このため、例えば第１シリンジ１１及び第２シリンジ１２にそれぞれ同程度の粘性の材料が収容されている場合には、第１プランジャー２１を第１シリンジ１１に押し込むよりも、第２プランジャー２２を第２シリンジ１２に押し込むのにより大きな力が必要となる。
【００３１】
したがって、ダブルシリンジ１００において、例えば第１プランジャー２１に第２プランジャー２２よりも大きな力がかかると、プランジャーに撓みや傾きが生じ、所定の比率で材料が吐出されなくなる可能性がある。
【００３２】
このような不具合を防止するために、ダブルシリンジ１００は、使用者に第１プランジャー２１よりも第２プランジャー２２に大きな力をかけられるように把持及び操作される必要がある。具体的には、使用者が、例えば人差し指と中指との間で第２シリンジ１２側からシリンジを挟み込み、親指又は母指球をプランジャーヘッド５０の第２プランジャー２２側に押し当てるようにダブルシリンジ１００を持つ必要がある。
【００３３】
そこで、本実施形態に係るダブルシリンジ１００には、第１フランジ突出部４１がフランジ４０の第１シリンジ１１側端部から吐出口３１側に突出するように設けられている。このため、使用者は、第１シリンジ１１側からシリンジを指の間に挟み、シリンジを挟み込んだ指をフランジ４０の吐出口３１，３２側の面に添わせると、第１フランジ突出部４１が指の腹等に当接して違和感を覚えることになる。
【００３４】
このため、使用者は、ダブルシリンジ１００を持つ際にフランジ４０の形状を見て、自然に第２シリンジ１２側からシリンジを指の間に挟み込んで持つように導かれる。また、第１シリンジ１１側からシリンジを指の間に挟み込んで持った場合には、第１フランジ突出部４１が指に当たることによる違和感を覚え、第２シリンジ１２側からダブルシリンジ１００を持ち直すように導かれる。
【００３５】
このように、使用者は、第２シリンジ１２側からシリンジを指の間に挟み込み、自然に親指又は母指球をプランジャーヘッド５０の第２プランジャー２２側に押し当ててダブルシリンジ１００を持つように誘導される。したがって、使用者は、自然に第２プランジャー２２側により大きな力をかけてプランジャーをシリンジに押し込み、プランジャーに撓みや傾きを生じさせることなく、シリンジから所定の比率で材料を押し出すことが可能になる。
【００３６】
また、第１フランジ突出部４１は、図３に示されるように、Ｘ方向における長さＬが、例えば１０ｍｍ以上であることが好ましい。このように、第１フランジ突出部４１のフランジ４０からの突出量を大きくすることで、使用者が第１シリンジ１１側からシリンジを指の間に挟み込んで持つことができなくなる。
【００３７】
このため、使用者は第２シリンジ１２側からシリンジを指の間に挟み込み、親指又は母指球をプランジャーヘッド５０の第２プランジャー２２側に押し当ててダブルシリンジ１００を持つこととなる。したがって、使用者は、第２プランジャー２２側により大きな力をかけてプランジャーをシリンジに押し込み、シリンジから所定の比率で材料を押し出すことが可能になる。
【００３８】
また、本実施形態に係るダブルシリンジ１００は、第２フランジ突出部４２がフランジ４０の第２シリンジ１２側端部からプランジャーヘッド５０側に突出するように設けられている。このため、使用者にとっては、シリンジを挟み込んだ指を、違和感なく自然にフランジ４０に添わせることができる構成になっている。
【００３９】
さらに、ダブルシリンジ１００には、第１ヘッド突出部５１がプランジャーヘッド５０の第１プランジャー２１側端部からフランジ４０とは反対側に突出するように設けられている。このため、使用者は、第１シリンジ１１側からシリンジを指の間に挟み、親指又は母指球をプランジャーヘッド５０に当てると、第１ヘッド突出部５１が親指等に当接して違和感を覚えることになる。また、親指や母指球に第１ヘッド突出部５１が当たることで、プランジャーに力を加え難い構成になっている。
【００４０】
また、ダブルシリンジ１００には、第２ヘッド突出部５２がプランジャーヘッド５０の第２プランジャー２２側端部からフランジ４０側に突出するように設けられている。このため、使用者は、違和感等を覚えることなく親指又は母指球を第２ヘッド突出部５２側からプランジャーヘッド５０に押し当てることができる構成になっている。
【００４１】
本実施形態に係るダブルシリンジ１００には、上記したように、フランジ４０に第１フランジ突出部４１及び第２フランジ突出部４２、プランジャーヘッド５０に第１ヘッド突出部５１及び第２ヘッド突出部５２が設けられている。このような構成により、使用者は、第２シリンジ１２側からシリンジを指の間に挟み、親指又は母指球をプランジャーヘッド５０の第２プランジャー２２側に押し当ててダブルシリンジ１００を持つように誘導される。使用者は、このようにダブルシリンジ１００を持つことで、自然に第２プランジャー２２側により大きな力をかけてプランジャーをシリンジに押し込み、プランジャーに撓みや傾きを生じさせることなく、シリンジから所定の比率で材料を押し出すことが可能になる。
【００４２】
以上で説明したように、本実施形態に係るダブルシリンジ１００によれば、材料を押し出すのに必要な力が大きい第２シリンジ１２側からシリンジを指の間に挟み、親指又は母指球をプランジャーヘッド５０の第２プランジャー２２側に押し当てて持つように使用者を誘導できる。したがって、自然に第２プランジャー２２側に大きな力がかかるように操作され、プランジャーの撓みや傾き等に起因する不具合等が起きることなく、シリンジから所定の比率で材料が押し出されることとなる。
【００４３】
なお、ダブルシリンジ１００は、第１フランジ突出部４１、第２フランジ突出部４２、第１ヘッド突出部５１及び第２ヘッド突出部５２のうち何れか一つ以上が設けられればよい。使用者は、フランジ４０又はプランジャーヘッド５０の形状や持った時の違和感等から、自然に第２プランジャー２２側により大きな力をかけられる持ち方に導かれることになる。
【００４４】
また、第１シリンジ１１及び第２シリンジ１２の内径が同一であっても、収容される材料によってプランジャーを押し込む力に差異が生じる場合がある。この場合には、プランジャーを押し込むのに必要な力が小さいシリンジ側に、第１フランジ突出部４１及び第１ヘッド突出部５１を設ける。また、プランジャーを押し込むのに必要な力が大きいシリンジ側に、第２フランジ突出部４２及び第２ヘッド突出部５２を設ける。このような構成により、プランジャーに撓みや傾きを生じさせることなく、所定の比率で材料を押し出すことができるように、使用者にダブルシリンジ１００を持たせることが可能になる。
【００４５】
以上、実施形態に係るダブルシリンジについて説明したが、本発明は上記実施形態に限定されるものではなく、本発明の範囲内で種々の変形及び改良が可能である。
【００４６】
本国際出願は、２０１５年３月２６日に出願された日本国特許出願２０１５−０６３７００号に基づく優先権を主張するものであり、同日本国特許出願の全内容を本国際出願に援用する。
【符号の説明】
【００４７】
１１  第１シリンジ
１２  第２シリンジ
２１  第１プランジャー
２２  第２プランジャー
４０  フランジ
４１  第１フランジ突出部
４２  第２フランジ突出部
５０  プランジャーヘッド
５１  第１ヘッド突出部
５２  第２ヘッド突出部
１００  ダブルシリンジ
【図１】
0006527224.tif 000002
【図２Ａ】
0006527224.tif 000003
【図２Ｂ】
0006527224.tif 000004
【図２Ｃ】
0006527224.tif 000005
【図３】
0006527224.tif 000006